(57)【要約】【課題】  遊技盤に対向して設けれられたガラス面を加工することなく、遊技盤上で転動する複数のパチンコ球を立体交差させることができるパチンコ機を提供すること。【解決手段】  パチンコ球が凹部２１に進入すると、凹部２１を構成する円形部２２及び長方部２３の下面２４でパチンコ球が転動することになる。この点、凹部２１はパチンコ球の直径よりも深く遊技盤２に凹設されている。従って、凹部２１を転動中のパチンコ球は、遊技盤２の表面を転動中のパチンコ球と接触することがことがなく、さらに、凹部２１を飛び越えたパチンコ球に対し立体交差することなる。このような立体交差を実現させた凹部２１の円形部２２及び長方部２３は、遊技盤２の表面から突出していないことから、遊技盤２に対向して設けれられたガラスを加工することなく、遊技盤２上で転動する複数のパチンコ球を立体交差させることができる。【選択図】  図５
2005334495.tif 000002
【特許請求の範囲】
【請求項１】
パチンコ球の直径よりも深く遊技盤に凹設されることによって前記遊技盤上を転動するパチンコ球に対し非接触でパチンコ球を転動させることが可能な凹部通路と、
前記凹部通路の下方に沿って前記遊技盤に突設されることによりパチンコ球が転動可能な案内通路と、
前記案内通路の途中に形成されるとともにパチンコ球の直径よりも大きな間隙で構成された落下口と、
前記凹部通路を転動するパチンコ球を前記落下口よりも下流側で前記案内通路に誘導する誘導部材と、
前記案内通路よりも下流側に配設されるとともにパチンコ球が進入すると遊技者に有利な状態へと移行させる進入口と、
前記遊技盤上を転動するパチンコ球を前記凹部通路又は前記案内通路に振り分けるための振分部材と、を備えたこと、を特徴とするパチンコ機。
【請求項２】
請求項１に記載するパチンコ機であって、
前記遊技盤上を転動するパチンコ球の落下方向を変化させる流路変化部材を備え、
前記流路変化部材を前記凹部通路の上流側に配設することにより前記振分部材として使用するとともに、前記流路変化部材の下流側に位置する前記遊技盤の盤面を前記凹部通路に向かって下り傾斜にしたこと、を特徴とするパチンコ機。
【請求項３】
請求項１に記載するパチンコ機であって、
前記遊技盤上を転動するパチンコ球が通過することにより当該パチンコ球の落下方向を変化させる流路変化部材と、
前記流路変化部材の下流部を構成する通過面に内設された突起と、を備え、
前記流路変化部材を前記振分部材として使用したこと、を特徴とするパチンコ機。
【請求項４】
請求項３に記載するパチンコ機であって、
前記流路変化部材の下流側になるにつれて前記突起を次第に突出させたこと、を特徴とするパチンコ機。
【請求項５】
請求項３又は請求項４に記載するパチンコ機であって、
前記突起の頂点を前記遊技盤から遠ざけて形成させたこと、を特徴とするパチンコ機。
【請求項６】
請求項１に記載するパチンコ機であって、
前記遊技盤上を転動するパチンコ球が通過することにより当該パチンコ球の落下方向を変化させる流路変化部材と、
前記流路変化部材の下流部を構成する通過面に内設されるとともに前記遊技盤に向けられた窪みと、を備え、
前記流路変化部材を前記振分部材として使用したこと、を特徴とするパチンコ機。
【請求項７】
請求項１に記載するパチンコ機であって、
前記遊技盤上を転動するパチンコ球が通過することにより当該パチンコ球の落下方向を変化させる流路変化部材と、
前記流路変化部材の下流部を構成する通過面に前記遊技盤の側で形成された切欠と、を備え、
前記流路変化部材を前記振分部材として使用したこと、を特徴とするパチンコ機。
【請求項８】
請求項１乃至請求項７のいずれか一つに記載するパチンコ機であって、
前記振分部材を前記凹部通路の上流部に重ね合わせて配設させたこと、を特徴するパチンコ機。
【請求項９】
請求項１に記載するパチンコ機であって、
前記遊技盤上を転動するパチンコ球が通過することにより当該パチンコ球の落下方向を変化させる風車を備え、
前記風車の水平投影面を前記凹部通路に含ませながら前記風車を前記凹部通路から突設させたこと、を特徴とするパチンコ機。
【請求項１０】
請求項９に記載するパチンコ機であって、
前記風車の正面板から前記凹部通路に向けて前記風車の回転軸を下方に傾けたこと、を特徴とするパチンコ機。
【請求項１１】
請求項９に記載するパチンコ機であって、
前記風車の正面板から前記凹部通路に向けて前記風車の羽を下方に傾けたこと、を特徴とするパチンコ機。
【請求項１２】
請求項９に記載するパチンコ機であって、
前記風車の正面板から前記凹部通路に向けて前記風車の羽の稜線が前記風車の回転軸に近づいていくこと、を特徴とするパチンコ機。
【請求項１３】
請求項９乃至請求項１２のいずれか一つに記載するパチンコ機であって、
前記風車の羽の一部が前記凹部通路に対し内在すること、を特徴とするパチンコ機。
【請求項１４】
請求項９乃至請求項１２のいずれか一つに記載するパチンコ機であって、
前記風車の羽に設けられた角が前記凹部通路に対し外在すること、を特徴とするパチンコ。
【発明の詳細な説明】
【技術分野】
【０００１】
本発明は、遊技盤上で転動する複数のパチンコ球を立体交差させることができるパチンコ機に関するものである。
【背景技術】
【０００２】
従来のパチンコ機には、例えば、下記特許文献１に記載されているように、遊技盤上に配設されたジャンプ台をパチンコ球が転動すると、遊技盤上の一対のガラス間に設けられた通路にパチンコ球を誘導されるものがある。従って、通路にパチンコ球が誘導されれば、遊技盤の面上を転動するパチンコ球を遊技盤の面上のレベルから離して転動させることができるので、遊技盤上で転動する複数のパチンコ球を立体交差させることができる。
【特許文献１】特開昭５６−８５３７３号公報
【発明の開示】
【発明が解決しようとする課題】
【０００３】
この点、ジャンプ台によってパチンコ球が誘導される通路を設けるためには、ガラスの一方を切り欠く必要があるので、平板状のガラスを加工しなければならなかった。また、ガラスが切り欠かれているため、遊技盤面上を通過するパチンコ球が切り欠かれている部分を通過したときにパチンコ球の視認性が悪くなってしまう。さらに、当該通路が配置されていない新たな機種の遊技盤に交換する際には、ガラス状の切り欠きがかえってパチンコ遊技の支障になるので、切り欠きを有するガラスまでも交換しなければならなかった。
【０００４】
そこで、本発明は、上述した点を鑑みてなされたものであり、遊技盤に対向して設けれられたガラス面を加工することなく、遊技盤上で転動する複数のパチンコ球を立体交差させることができるパチンコ機を提供することを課題とする。
【課題を解決するための手段】
【０００５】
この課題を解決するために成された請求項１に係る発明は、パチンコ機であって、パチンコ球の直径よりも深く遊技盤に凹設されることによって前記遊技盤上を転動するパチンコ球に対し非接触でパチンコ球を転動させることが可能な凹部通路と、前記凹部通路の下方に沿って前記遊技盤に突設されることによりパチンコ球が転動可能な案内通路と、前記案内通路の途中に形成されるとともにパチンコ球の直径よりも大きな間隙で構成された落下口と、前記凹部通路を転動するパチンコ球を前記落下口よりも下流側で前記案内通路に誘導する誘導部材と、前記案内通路よりも下流側に配設されるとともにパチンコ球が進入すると遊技者に有利な状態へと移行させる進入口と、前記遊技盤上を転動するパチンコ球を前記凹部通路又は前記案内通路に振り分けるための振分部材と、を備えたこと、を特徴としている。
【０００６】
また、請求項２に係る発明は、請求項１に記載するパチンコ機であって、前記遊技盤上を転動するパチンコ球の落下方向を変化させる流路変化部材を備え、前記流路変化部材を前記凹部通路の上流側に配設することにより前記振分部材として使用するとともに、前記流路変化部材の下流側に位置する前記遊技盤の盤面を前記凹部通路に向かって下り傾斜にしたこと、を特徴としている。
【０００７】
また、請求項３に係る発明は、請求項１に記載するパチンコ機であって、前記遊技盤上を転動するパチンコ球が通過することにより当該パチンコ球の落下方向を変化させる流路変化部材と、前記流路変化部材の下流部を構成する通過面に内設された突起と、を備え、前記流路変化部材を前記振分部材として使用したこと、を特徴としている。
【０００８】
また、請求項４に係る発明は、請求項３に記載するパチンコ機であって、前記流路変化部材の下流側になるにつれて前記突起を次第に突出させたこと、を特徴としている。
【０００９】
また、請求項５に係る発明は、請求項３又は請求項４に記載するパチンコ機であって、前記突起の頂点を前記遊技盤から遠ざけて形成させたこと、を特徴としている。
【００１０】
また、請求項６に係る発明は、請求項１に記載するパチンコ機であって、前記遊技盤上を転動するパチンコ球が通過することにより当該パチンコ球の落下方向を変化させる流路変化部材と、前記流路変化部材の下流部を構成する通過面に内設されるとともに前記遊技盤に向けられた窪みと、を備え、前記流路変化部材を前記振分部材として使用したこと、を特徴としている。
【００１１】
また、請求項７に係る発明は、請求項１に記載するパチンコ機であって、前記遊技盤上を転動するパチンコ球が通過することにより当該パチンコ球の落下方向を変化させる流路変化部材と、前記流路変化部材の下流部を構成する通過面に前記遊技盤の側で形成された切欠と、を備え、前記流路変化部材を前記振分部材として使用したこと、を特徴としている。
【００１２】
また、請求項８に係る発明は、請求項１乃至請求項７のいずれか一つに記載するパチンコ機であって、前記振分部材を前記凹部通路の上流部に重ね合わせて配設させたこと、を特徴している。
【００１３】
また、請求項９に係る発明は、請求項１に記載するパチンコ機であって、前記遊技盤上を転動するパチンコ球が通過することにより当該パチンコ球の落下方向を変化させる風車を備え、前記風車の水平投影面を前記凹部通路に含ませながら前記風車を前記凹部通路から突設させたこと、を特徴としている。
【００１４】
また、請求項１０に係る発明は、請求項９に記載するパチンコ機であって、前記風車の正面板から前記凹部通路に向けて前記風車の回転軸を下方に傾けたこと、を特徴としている。
【００１５】
また、請求項１１に係る発明は、請求項９に記載するパチンコ機であって、前記風車の正面板から前記凹部通路に向けて前記風車の羽を下方に傾けたこと、を特徴としている。
【００１６】
また、請求項１２に係る発明は、請求項９に記載するパチンコ機であって、前記風車の正面板から前記凹部通路に向けて前記風車の羽の稜線が前記風車の回転軸に近づいていくこと、を特徴としている。
【００１７】
また、請求項１３に係る発明は、請求項９乃至請求項１２のいずれか一つに記載するパチンコ機であって、前記風車の羽の一部が前記凹部通路に対し内在すること、を特徴としている。
【００１８】
また、請求項１４に係る発明は、請求項９乃至請求項１２のいずれか一つに記載するパチンコ機であって、前記風車の羽に設けられた角が前記凹部通路に対し外在すること、を特徴としている。
【発明の効果】
【００１９】
すなわち、本発明のパチンコ機では、パチンコ球の直径よりも深く遊技盤に凹設されることによって遊技盤上を転動するパチンコ球に対し非接触でパチンコ球を転動させることが可能な凹部通路を設けており、凹部通路が遊技盤から突出することがないので、遊技盤に対向して設けれられたガラス面を加工することなく、遊技盤上で転動する複数のパチンコ球を立体交差させることができる。
【００２０】
尚、このとき、凹部通路を転動するパチンコ球は、案内通路に誘導されることによって、遊技者に有利な状態へと移行させる進入口に常に導かれることになるけれども、案内通路を転動するパチンコ球は、落下口から落下することもあるので、遊技者に有利な状態へと移行させる進入口に常に導かれることになるとは限らない。従って、遊技盤上を転動するパチンコ球を凹部通路又は案内通路に振り分けることによって、パチンコ球の立体交差について、遊技者に関心を持たせることができる。
【発明を実施するための最良の形態】
【００２１】
以下、本発明の実施の形態を図面を参照にして説明する。先ず、第１実施の形態について説明する。図１は、第１実施の形態のパチンコ機を示す正面図である。
図１に示すように、第１実施の形態のパチンコ機１では、ガラス扉４を取り付けたガラス５の奥側において、第１種始動口３や立体交差機構部１１等が設けられた遊技盤２を備えている。
【００２２】
そこで、当該遊技盤２の正面図を図２に示し、当該遊技盤２の平面図を図３に示し、当該遊技盤２の側面図を図４に示す。
【００２３】
また、当該遊技盤２に設けられた立体交差機構部１１について、図５に正面図を示し、図６に平面図を示し、図７に側面図を示し、図８に二面図（第三角法による正面図・側面図をあわせて表したもの。以下同じ。）を示す。
図５〜図８に示すように、立体交差機構部１１は、遊技盤２の表面からパチンコ球Ｐの直径よりも深く凹設された凹部２１と、その凹部２１から遊技盤２の表面よりも突設させた風車３１と、その凹部２１の下側に沿って打設された複数の遊技釘４１などから構成されている。
【００２４】
尚、図９は、風車３１の三面図（第三角法による正面図・側面図・背面図をあわせて表したもの。以下同じ。）である。
ここで、符号３２は正面板であり、符号３３は回転軸であり、符号３４は羽である。
【００２５】
そして、凹部２１は、上記風車３１が突設されるとともに上記風車３１を包囲し得る大きさで凹設された円形部２２と、その円形部２２に連接するとともに遊技盤２の中央下方に向かって下るように傾斜して凹設された長方部２３とから構成されている。従って、凹部２１に進入したパチンコ球Ｐは、凹部２１を構成する円形部２２及び長方部２３の下面２４において、遊技盤２の中央下方に向かって下るように転動することになる。
【００２６】
また、凹部２１の下側に沿って打設された複数の遊技釘４１については、凹部２１を構成する円形部２２及び長方部２３の下側に沿って打設されることにより、パチンコ球Ｐが遊技盤２の中央下方に向かって下ることができる案内通路４２を形成している。但し、案内通路４２の途中には、パチンコ球Ｐの直径よりも大きい落下口４３が２箇所形成されている。従って、案内通路４２を転動するパチンコ球Ｐは、その転動速度・回転方向などによっては、遊技盤２の中央下方に向かって下る途中において、２つの落下口４３のいずれかから落下し、遊技盤２の下方に向かって下ることもある。
【００２７】
また、凹部２１においては、長方部２３の壁面２５が、遊技盤２の中央下方に進むにつれて、遊技盤２の表面に向かうように次第に傾斜して設けられている。従って、長方部２３の右端では、長方部２３の壁面２５が遊技盤２の表面に連なる。よって、凹部２１の長方部２３の下面２４において、遊技盤２の中央下方に向かって下るように転動するパチンコ球Ｐは、長方部２３の壁面２５に案内されることによって、案内通路４２の落下口４３を通り超した後に、案内通路４２に誘導されることになる。
【００２８】
以上より、第１実施の形態のパチンコ機１では、遊技盤２を転動するパチンコ球Ｐが風車３１に衝突すると、パチンコ球Ｐの転動速度・回転方向などや風車３１の回転速度・回転方向などによって、パチンコ球Ｐが凹部２１に進入したり凹部２１に進入しなかったりする。
【００２９】
この点、凹部２１に進入しなかったパチンコ球Ｐの殆どは、凹部２１を飛び越して、凹部２１の下側に沿って形成された案内通路４２に落下し、案内通路４２を遊技盤２の中央下方に向かって下るように転動することになる。このとき、案内通路４２を転動中のパチンコ球Ｐは、その転動速度・回転方向などによって、２つの落下口４３のいずれかから落下することもあれば、２つの落下口４３のいずれかからも落下しないこともある。
【００３０】
そして、いずれかの落下口４３から落下したパチンコ球Ｐについては、遊技盤２の下方に向かって下ることになる。一方、いずれの落下口４３からも落下しなかったパチンコ球Ｐについては、案内通路４２を遊技盤２の中央下方に向かって下るように転動することになるが、図１や図２に示すように、案内通路４２の延長先には、パチンコ球Ｐが遊技盤２の中央下方に配設された第１種始動口３に向かって下ることができる遊技釘が列設されているので、第１種始動口３またはその付近にまで導かれて転動することになる。
【００３１】
一方、凹部２１に進入したパチンコ球Ｐは、上述したように、凹部２１を構成する円形部２２及び長方部２３の下面２４において、遊技盤２の中央下方に向かって下るように転動し、長方部２３の壁面２５に案内されることによって、案内通路４２の落下口４３を通り超した後に、案内通路４２に誘導されることになる。そして、パチンコ球Ｐは、案内通路４２を転動した後、案内通路４２の延長先に列設された遊技釘によって、第１種始動口３またはその付近にまで導かれて転動することになる。
【００３２】
すなわち、第１実施の形態のパチンコ機１では、パチンコ球Ｐが凹部２１に進入すると、凹部２１を構成する円形部２２及び長方部２３の下面２４でパチンコ球Ｐが転動することになる。この点、凹部２１はパチンコ球Ｐの直径よりも深く遊技盤２に凹設されている。従って、凹部２１を転動中のパチンコ球Ｐは、遊技盤２の表面を転動中のパチンコ球Ｐと接触することがことがなく、さらに、凹部２１を飛び越えたパチンコ球Ｐに対し立体交差することなる。そして、このような立体交差を実現させた凹部２１の円形部２２及び長方部２３は、遊技盤２の表面から突出していないことから、遊技盤２に対向して設けれられたガラス５を加工することなく、遊技盤２上で転動する複数のパチンコ球Ｐを立体交差させることができる。
【００３３】
また、第１実施の形態のパチンコ機１では、風車３１によってパチンコ球Ｐを凹部２１又は案内通路４２に振り分けることができ、凹部２１にパチンコ球Ｐが振り分けられなかったときは、案内通路４２の途中に設けられた落下口４３からパチンコ球Ｐが落下することがあり、その一方で、凹部２１にパチンコ球Ｐが振り分けられたときは、案内通路４２の途中に設けられた落下口４３を通り越した後のポイントで、パチンコ球Ｐが案内通路４２に誘導され、第１種始動口３またはその付近にまで導かれて転動するようになっているので、風車３１によって振り分けられたパチンコ球Ｐが凹部２１を転動することにより、遊技者にメリットを与えることができる。また、これを実現するに当たりガラス５の面を加工する必要がなく、パチンコ球Ｐの視認性を妨げることなく、機種交換時にガラス５を交換する必要もない。
【００３４】
また、第１実施の形態のパチンコ機１では、パチンコ球Ｐを凹部２１又は案内通路４２に振り分けるものとして風車３１を使用し、その風車３１を凹部２１の円形部２２から飛び出すように設け、その円形部２２は遊技者側から見て少なくとも風車３１の全体が入る大きさで形成されている。従って、風車３１に衝突したときのパチンコ球Ｐが跳ねる向きによって、パチンコ球Ｐを凹部２１又は案内通路４２に振り分けることができる。また、風車３１が飛び出すように設けられた円形部２２は遊技者側から見て少なくとも風車３１の全体が入る大きさで形成されていることから、風車３１と凹部２１との間でパチンコ球Ｐが詰まることを回避できる。
【００３５】
尚、本発明は上記実施の形態に限定されるものでなく、その趣旨を逸脱しない範囲で様々な変更が可能である。
例えば、風車３１に代えて、例えば、図１０や図１１に示すように、正面板５２，６２から回転軸５３，６３に向けて羽５４，６４を下方に傾けた風車５１，６１を使用してもよい。このようにすれば、風車５１，６１に衝突したときのパチンコ球Ｐが跳ねる向きを凹部２１に向かわせることができる。
尚、図１０は風車５１を示す三面図であり、図１１は風車６１を示す三面図である。
【００３６】
また、風車３１に代えて、例えば、図１２や図１３に示すように、正面板７２，８２から回転軸７３，８３の先端に向けて羽７４，８４の稜線７５，８５が当該回転軸７３，８３に近づいていく風車７１，８１を使用してもよい。このようにすれば、風車７１，８１に衝突したときのパチンコ球Ｐが跳ねる向きを凹部２１に向かわせることができる。もっとも、羽７４，８４の全部でなく一部において、稜線７５，８５を当該回転軸７３，８３に近づけてもよい。また、羽７４，８４の稜線７５，８５は、羽７４の稜線７５のように直線であってもよいし、羽８４の稜線８５のように曲線であってもよい。
尚、図１２は風車７１を示す三面図であり、図１３は風車８１を示す三面図である。
【００３７】
また、凹部２１の円形部２２から飛び出すように設けられる風車３１は、その羽３３の一部を、遊技盤２の表面よりも奥にある凹部２１の円形部２２に内在させてもよい。このようにすれば、風車３１に衝突したときのパチンコ球Ｐが跳ねる向きを凹部２１に向かわせることができる。
【００３８】
また、凹部２１の円形部２２から飛び出すように設けられる風車３１は、例えば、図１４に示すように、正面板３２から凹部２１の円形部２２に向けて回転軸３３を下方に傾斜させて設けてもよい。このようにすれば、風車３１に衝突したときのパチンコ球Ｐが跳ねる向きを凹部２１に向かわせることができる。
【００３９】
また、第１実施の形態のパチンコ機１において、図３２に示すように、凹部２１の円形部２２よりも大きな風車３１とし、その風車３１の羽３２の外周を遊技盤２の表面にまで突出させて対向させるようにすれば、遊技盤２を転動するパチンコ球Ｐを風車３１の羽３２の外周角３５に衝突させることができるので、このようにすれば、衝突したときのパチンコ球Ｐが跳ねる向きによって、パチンコ球Ｐを凹部２１又は案内通路４２に振り分けることができる。
このように、「風車３１の羽３２の外周を遊技盤２の表面にまで突出させて対向させる」ことは、請求項１４の「前記風車の羽に設けられた角が前記凹部通路に対し外在すること」の一態様である。
【００４０】
また、第１実施の形態のパチンコ機１では、立体交差機構部１１において、凹部２１にパチンコ球Ｐが振り分けられた場合には、凹部２１に進入したパチンコ球Ｐは、上述したように、凹部２１を構成する円形部２２及び長方部２３の下面２４において、遊技盤２の中央下方に向かって下るように転動し、長方部２３の壁面２５に案内されることによって、案内通路４２の落下口４３を通り超した後に、案内通路４２に誘導されることになる。この点、図３３に示すように、凹部２１を構成する円形部２２及び長方部２３の下面２４を、遊技盤２の表面に向かって下方に傾斜させることにより、案内通路４２に誘導させてもよい。
【００４１】
次に、第２実施の形態について説明する。図１５は、第２実施の形態のパチンコ機の遊技盤１０２に設けられた立体交差機構部１１１の斜視図である。
図１５に示すように、立体交差機構部１１１は、遊技盤１０２の表面からパチンコ球Ｐの直径よりも深く凹設された凹部１２１と、その凹部１２１の隣りに遊技盤２の表面に設けられたゲート１３１と、その凹部１２１の下側に沿って打設された複数の遊技釘１４１などから構成されている。
【００４２】
この点、凹部１２１は、遊技盤１０２の中央下方に向かって下るように傾斜して凹設されている。従って、凹部１２１に進入したパチンコ球Ｐは、凹部１２１の下面１２４において、遊技盤１０２の中央下方に向かって下るように転動することになる。
【００４３】
また、凹部１２１の下側に沿って打設された複数の遊技釘１４１については、凹部１２１の下側に沿って打設されることにより、パチンコ球Ｐが遊技盤１０２の中央下方に向かって下ることができる案内通路１４２を形成している。但し、案内通路１４２の途中には、パチンコ球Ｐの直径よりも大きい落下口１４３が１箇所形成されている。従って、案内通路１４２を転動するパチンコ球Ｐは、その転動速度・回転方向などによっては、遊技盤１０２の中央下方に向かって下る途中において、落下口１４３から落下し、遊技盤１０２の下方に向かって下ることもある。
【００４４】
また、凹部１２１においては、その壁面１２５の両端が遊技盤２の表面に連なる一方で、その壁面１２５の表面が奥側に向かって曲がった曲面となっている。よって、凹部１２１の下面１２４において、遊技盤１０２の中央下方に向かって下るように転動するパチンコ球Ｐは、凹部１２１の壁面１２５に案内されることによって、案内通路１４２の落下口１４３を通り超した後に、案内通路１４２に誘導されることになる。
【００４５】
また、ゲート１３１は、パチンコ球Ｐが通過することが可能な円形開口部１３２を貫設した水平板１３３と、その水平板１３３の下側で吊設されたＪ字状の案内部１３４から構成されている。従って、水平板１３３の円形開口部１３２を通過したパチンコ球Ｐは、案内部１３４の内面１３５を滑動し、案内部１３４から放出されることになる。もっとも、案内部１３４の内面１３５には、図１６や図１８に示すように、案内部１３４の中心線上に凸条１３６が設けられているので、凸条１３６より遊技盤２の側で滑動するパチンコ球Ｐについては、凹部１２１又は案内通路１４２に向けて放出されることになる。
【００４６】
尚、図１６は、ゲート１３１の案内部１３４の内面１３５を先端側から見た先端面のみを示した図である。また、図１８は、遊技盤１０２に形成された凹部１２１及び案内通路１４２と図１６に示されたゲート１３１との位置関係を示した概略平面図である。
【００４７】
以上より、第２実施の形態のパチンコ機では、遊技盤１０２を転動するパチンコ球Ｐがゲート１３１を通過すると、パチンコ球Ｐの転動速度・回転方向などによって、パチンコ球Ｐが凹部１２１に進入したり凹部１２１に進入しなかったりする。
【００４８】
この点、凹部１２１に進入しなかったパチンコ球Ｐの一部は、凹部１２１の下側に沿って形成された案内通路１４２に落下し、案内通路１４２を遊技盤１０２の中央下方に向かって下るように転動することになる。このとき、案内通路１４２を転動中のパチンコ球Ｐは、その転動速度・回転方向などによって、落下口１４３から落下することもあれば、落下口１４３のいずれかからも落下しないこともある。
【００４９】
そして、落下口１４３から落下したパチンコ球Ｐについては、遊技盤１０２の下方に向かって下ることになる。一方、落下口１４３からも落下しなかったパチンコ球Ｐについては、案内通路１４２を遊技盤１０２の中央下方に向かって下るように転動することになるが、図示はしないが、上述した図１や図２と同様として、案内通路１４２の延長先には、パチンコ球Ｐが遊技盤１０２の中央下方に配設された第１種始動口に向かって下ることができる遊技釘が列設されているので、第１種始動口またはその付近にまで導かれて転動することになる。
【００５０】
一方、凹部１２１に進入したパチンコ球Ｐは、上述したように、凹部１２１の下面１２４において、遊技盤１０２の中央下方に向かって下るように転動し、凹部１２１の壁面１２５に案内されることによって、案内通路１４２の落下口１４３を通り超した後に、案内通路１４２に誘導されることになる。そして、パチンコ球Ｐは、案内通路１４２を転動した後、案内通路１４２の延長先に列設された遊技釘によって、第１種始動口またはその付近にまで導かれて転動することになる。
【００５１】
すなわち、第２実施の形態のパチンコ機では、パチンコ球Ｐが凹部１２１に進入すると、凹部１２１の下面１２４でパチンコ球Ｐが転動することになる。この点、凹部１２１はパチンコ球Ｐの直径よりも深く遊技盤１０２に凹設されている。従って、凹部１２１を転動中のパチンコ球Ｐは、遊技盤１０２の表面を転動中のパチンコ球Ｐと接触することがことがなく、さらに、凹部１２１を飛び越えたパチンコ球Ｐに対し立体交差することなる。そして、このような立体交差を実現させた凹部１２１は、遊技盤１０２の表面から突出していないことから、遊技盤１０２に対向して設けれられたガラスを加工することなく、遊技盤１０２上で転動する複数のパチンコ球Ｐを立体交差させることができる。
【００５２】
また、第２実施の形態のパチンコ機では、ゲート１３１によってパチンコ球Ｐを凹部１２１又は案内通路１４２に振り分けることができ、凹部１２１にパチンコ球Ｐが振り分けられなかったときは、案内通路１４２の途中に設けられた落下口１４３からパチンコ球Ｐが落下することがあり、その一方で、凹部１２１にパチンコ球Ｐが振り分けられたときは、案内通路１４２の途中に設けられた落下口１４３を通り越した後のポイントで、パチンコ球Ｐが案内通路１４２に誘導され、第１種始動口またはその付近にまで導かれて転動するようになっているので、ゲート１３１によって振り分けられたパチンコ球Ｐが凹部１２１を転動することにより、遊技者にメリットを与えることができる。また、これを実現するに当たりガラスの面を加工する必要がなく、パチンコ球Ｐの視認性を妨げることなく、機種交換時にガラスを交換する必要もない。
【００５３】
また、第２実施の形態のパチンコ機では、ゲート１３１の案内部１３４の内面１３５には、図１６や図１８に示すように、案内部１３４の中心線上に凸条１３６が設けられているので、案内部１３４の凸条１３６に衝突するパチンコ球Ｐの跳ね具合によって、パチンコ球Ｐを凹部１２１又は案内通路１４２に振り分けることができる。
【００５４】
また、第２実施の形態のパチンコ機では、ゲート１３１の案内部１３４の内面１３５を凹部１２１の下面１２４と同一レベルの高さ以上とし、図１８に示すように、ゲート１３１の案内部１３４の先端部分の一部が凹部１２１と重なり合うようにしているので、ゲート１３１の案内部１３４から放出されたパチンコ球Ｐが凹部１２１の下側角部と衝突することを回避させながら、凹部１２１又は案内通路１４２に振り分けることができる。
【００５５】
尚、本発明は上記実施の形態に限定されるものでなく、その趣旨を逸脱しない範囲で様々な変更が可能である。
例えば、ゲート１３１の案内部１３４の内面１３５の中心線上に設けられた凸条１３６に代えて、例えば、図１７や図１９に示すように、案内部１３４の中心線上から凹部１２１に向かった凸条１３７を設けてもよい。このような場合には、案内部１３４を滑動するパチンコ球Ｐの多くを凹部１２１に振り分けることができる。
尚、図１７は、ゲート１３１の案内部１３４の内面１３５を先端側から見た先端面のみを示した図である。また、図１９は、遊技盤１０２に形成された凹部１２１及び案内通路１４２と図１７に示されたゲート１３１との位置関係を示した概略平面図である。
【００５６】
また、凸条１３６，１３７に代えて、窪んだ凹条のものを設けても、同様な効果を得ることができる。
【００５７】
また、ゲート１３１の案内部１３４の内面１３５の中心線上に設けられた凸条１３６に代えて、例えば、図２０や図２２に示すように、ゲート１３１の案内部１３４の途中から先端部分にかけて次第に突出させた突起部１５１を設けてもよい。このような場合でも、案内部１３４を滑動するパチンコ球Ｐの多くを凹部１２１に振り分けることができる。
尚、図２０は、ゲート１３１の案内部１３４の内面１３５を先端側から見た先端面のみを示した図である。また、図２２は、遊技盤１０２に形成された凹部１２１及び案内通路１４２と図２０に示されたゲート１３１との位置関係を示した概略平面図である。
【００５８】
さらに、例えば、図２１や図２３に示すように、ゲート１３１の案内部１３４の途中から先端部分にかけて次第に突出させた突起部１５２の稜線１５３を遊技盤２の表面から次第に遠ざけるにしても、案内部１３４を滑動するパチンコ球Ｐの多くを凹部１２１に振り分けることができる。
尚、図２１は、ゲート１３１の案内部１３４の内面１３５を先端側から見た先端面のみを示した図である。また、図２３は、遊技盤１０２に形成された凹部１２１及び案内通路１４２と図２１に示されたゲート１３１との位置関係を示した概略平面図である。
【００５９】
また、ゲート１３１の案内部１３４の内面１３５の中心線上に設けられた凸条１３６を設けることなく、例えば、図２４や図２６に示すように、ゲート１３１の案内部１３４の途中から先端部分にかけて遊技盤２の側に切欠部１６１を設けても、案内部１３４を滑動するパチンコ球Ｐの多くを凹部１２１に振り分けることができる。
尚、図２４は、ゲート１３１の案内部１３４の内面１３５を先端側から見た先端面のみを示した図である。また、図２６は、遊技盤１０２に形成された凹部１２１及び案内通路１４２と図２４に示されたゲート１３１との位置関係を示した概略平面図である。
【００６０】
また、ゲート１３１の案内部１３４の内面１３５の中心線上に設けられた凸条１３６を設けることなく、例えば、図２５や図２７に示すように、ゲート１３１の案内部１３４の内面１３５を遊技盤２の側に下方に傾いた傾斜を設けても、案内部１３４を滑動するパチンコ球Ｐの多くを凹部１２１に振り分けることができる。
尚、図２５は、ゲート１３１の案内部１３４の内面１３５を先端側から見た先端面のみを示した図である。また、図２７は、遊技盤１０２に形成された凹部１２１及び案内通路１４２と図２５に示されたゲート１３１との位置関係を示した概略平面図である。
【００６１】
また、第２実施の形態のパチンコ機における立体交差機構部１１１においては、例えば、図２８に示すように、ゲート１３１に代えて、中央役物２０１の端面形状を利用して、中央役物２０１の端面を滑動するパチンコ球Ｐを凹部１２１又は案内通路１４２に振り分けてもよい。
【００６２】
また、例えば、図２９に示すように、ゲート１３１に代えて、入賞役物３０１の端面形状を利用して、入賞役物３０１の端面を滑動するパチンコ球Ｐを凹部１２１又は案内通路１４２に振り分けてもよい。
【００６３】
また、例えば、図３０に示すように、ゲート１３１に代えて、ランプなどの装飾部材４０１の端面形状を利用して、装飾部材４０１の端面を滑動するパチンコ球Ｐを凹部１２１又は案内通路１４２に振り分けてもよい。
【００６４】
また、例えば、ゲート１３１の案内部１３４として、図３１に示すように、パチンコ球Ｐが通過ることが可能なＪ字状のコイルバネ５０１を水平部材１３３に吊設させてもよい。
【産業上の利用可能性】
【００６５】
本発明は、遊技盤を転動中のパチンコ球を立体交差させる機構に適用しうる。
【図面の簡単な説明】
【００６６】
【図１】第１実施の形態のパチンコ機を示した正面図である。
【図２】第１実施の形態のパチンコ機の遊技盤を示した正面図である。
【図３】第１実施の形態のパチンコ機の遊技盤を示した平面図である。
【図４】第１実施の形態のパチンコ機の遊技盤を示した側面図である。
【図５】第１実施の形態のパチンコ機の遊技盤に設けられた立体交差機構部を示した正面図である。
【図６】第１実施の形態のパチンコ機の遊技盤に設けられた立体交差機構部を示した平面図である。
【図７】第１実施の形態のパチンコ機の遊技盤に設けられた立体交差機構部を示した側面図である。
【図８】第１実施の形態のパチンコ機の遊技盤に設けられた立体交差機構部を示した二面図である。
【図９】第１実施の形態のパチンコ機の遊技盤に設けられた立体交差機構部を構成する風車を示した三面図である。
【図１０】第１実施の形態のパチンコ機の遊技盤に設けられた立体交差機構部を構成する風車について、その他の例を示した三面図である。
【図１１】第１実施の形態のパチンコ機の遊技盤に設けられた立体交差機構部を構成する風車について、その他の例を示した三面図である。
【図１２】第１実施の形態のパチンコ機の遊技盤に設けられた立体交差機構部を構成する風車について、その他の例を示した三面図である。
【図１３】第１実施の形態のパチンコ機の遊技盤に設けられた立体交差機構部を構成する風車について、その他の例を示した三面図である。
【図１４】第１実施の形態のパチンコ機の遊技盤に設けられた立体交差機構部を示した側面図である。
【図１５】第２実施の形態のパチンコ機の遊技盤に設けられた立体交差機構部を示した斜視図である。
【図１６】第２実施の形態のパチンコ機の遊技盤に設けられた立体交差機構部に関し、ゲートの案内部の内面を先端側から見た先端面のみを示した図である。
【図１７】第２実施の形態のパチンコ機の遊技盤に設けられた立体交差機構部に関し、ゲートの案内部の内面を先端側から見た先端面のみを示した図である。
【図１８】第２実施の形態のパチンコ機の遊技盤に設けられた立体交差機構部に関し、遊技盤に形成された凹部及び案内通路と図１６に示されたゲートとの位置関係を示した概略平面図である。
【図１９】第２実施の形態のパチンコ機の遊技盤に設けられた立体交差機構部に関し、遊技盤に形成された凹部及び案内通路と図１７に示されたゲートとの位置関係を示した概略平面図である。
【図２０】第２実施の形態のパチンコ機の遊技盤に設けられた立体交差機構部に関し、ゲートの案内部の内面を先端側から見た先端面のみを示した図である。
【図２１】第２実施の形態のパチンコ機の遊技盤に設けられた立体交差機構部に関し、ゲートの案内部の内面を先端側から見た先端面のみを示した図である。
【図２２】第２実施の形態のパチンコ機の遊技盤に設けられた立体交差機構部に関し、遊技盤に形成された凹部及び案内通路と図２０に示されたゲートとの位置関係を示した概略平面図である。
【図２３】第２実施の形態のパチンコ機の遊技盤に設けられた立体交差機構部に関し、遊技盤に形成された凹部及び案内通路と図２１に示されたゲートとの位置関係を示した概略平面図である。
【図２４】第２実施の形態のパチンコ機の遊技盤に設けられた立体交差機構部に関し、ゲートの案内部の内面を先端側から見た先端面のみを示した図である。
【図２５】第２実施の形態のパチンコ機の遊技盤に設けられた立体交差機構部に関し、ゲートの案内部の内面を先端側から見た先端面のみを示した図である。
【図２６】第２実施の形態のパチンコ機の遊技盤に設けられた立体交差機構部に関し、遊技盤に形成された凹部及び案内通路と図２４に示されたゲートとの位置関係を示した概略平面図である。
【図２７】第２実施の形態のパチンコ機の遊技盤に設けられた立体交差機構部に関し、遊技盤に形成された凹部及び案内通路と図２５に示されたゲートとの位置関係を示した概略平面図である。
【図２８】第２実施の形態のパチンコ機の遊技盤に設けられた立体交差機構部のその他の構成例を示した斜視図である。
【図２９】第２実施の形態のパチンコ機の遊技盤に設けられた立体交差機構部のその他の構成例を示した斜視図である。
【図３０】第２実施の形態のパチンコ機の遊技盤に設けられた立体交差機構部のその他の構成例を示した斜視図である。
【図３１】第２実施の形態のパチンコ機の遊技盤に設けられた立体交差機構部のその他の構成例を示した斜視図である。
【図３２】第１実施の形態のパチンコ機の遊技盤に設けられた立体交差機構部のその他の例の断面図である。
【図３３】第１実施の形態のパチンコ機の遊技盤に設けられた立体交差機構部のその他の例の断面図である。
【符号の説明】
【００６７】
１  パチンコ機
２  遊技盤
３  第１種始動口
５  ガラス
１１  立体交差機構部
２１  凹部
２２  円形部
２３  長方部
２４  下面
２５  壁面
３１，５１，６１，７１，８１  風車
３２，５２，６２，７２，８２  正面板
３３，５３，６３，７３，８３  回転軸
３４，５４，６４，７４，８４  羽
４１  遊技釘
４２  案内通路
４３  落下口
７５，８５  風車の羽の稜線
１１１  立体交差機構部
１２１  凹部
１２４  下面
１２５  壁面
１３１  ゲート
１３４  案内部
１３５  内面
１３６，１３７  凸条
１５１  突起部
１６１  切欠部
Ｐ  パチンコ球
【図１】
2005334495.tif 000003
【図２】
2005334495.tif 000004
【図３】
2005334495.tif 000005
【図４】
2005334495.tif 000006
【図５】
2005334495.tif 000007
【図６】
2005334495.tif 000008
【図７】
2005334495.tif 000009
【図８】
2005334495.tif 000010
【図９】
2005334495.tif 000011
【図１０】
2005334495.tif 000012
【図１１】
2005334495.tif 000013
【図１２】
2005334495.tif 000014
【図１３】
2005334495.tif 000015
【図１４】
2005334495.tif 000016
【図１５】
2005334495.tif 000017
【図１６】
2005334495.tif 000018
【図１７】
2005334495.tif 000019
【図１８】
2005334495.tif 000020
【図１９】
2005334495.tif 000021
【図２０】
2005334495.tif 000022
【図２１】
2005334495.tif 000023
【図２２】
2005334495.tif 000024
【図２３】
2005334495.tif 000025
【図２４】
2005334495.tif 000026
【図２５】
2005334495.tif 000027
【図２６】
2005334495.tif 000028
【図２７】
2005334495.tif 000029
【図２８】
2005334495.tif 000030
【図２９】
2005334495.tif 000031
【図３０】
2005334495.tif 000032
【図３１】
2005334495.tif 000033
【図３２】
2005334495.tif 000034
【図３３】
2005334495.tif 000035